(57)【要約】【課題】  本体が薄い略扁平状に形成された薄型筆記具において、上記本体を肉厚に構成してもヒケやソリなどが発生せず、強度的に優れ、かつ、部品点数も少なく、経済的に得ることができる薄型筆記具を提供する。【解決手段】  薄型筆記具１は、幅方向に対し厚さ方向が薄く略扁平状に形成され長手方向に延びる本体２を有する。この本体２は、その先端から後端に延びる本体ベース部３と該本体ベース部３の外周に２色成形又はインサート成形の要領により形成される外層部４で構成されている。上記本体ベース部３には、上記本体２の先端に開口して後方に延びリフィール６が収納される収納部７と上記本体２の幅方向に突出し且つ長手方向に延びる突条部８が形成されている。上記外層部４は該突条部８の外側を被覆している。【選択図】図３
2010201691.tif 000002
【特許請求の範囲】
【請求項１】
幅方向に対し厚さ方向が薄く略扁平状に形成され長手方向に延びる本体を具備する薄型筆記具において、上記本体はその先端から後端に延びる本体ベース部と該本体ベース部の外周に２色成形又はインサート成形の要領により形成される外層部を有し、上記本体ベース部には上記本体の先端に開口して後方に延びリフィールが収納される収納部と上記本体の幅方向に突出し且つ長手方向に延びる突条部が形成され、上記外層部は該突状部の外側を被覆していることを特徴とする薄型筆記具。
【請求項２】
上記外層部には、上記本体ベース部の一部が視認できるよう窓部が形成されている請求項１に記載の薄型筆記具
【請求項３】
上記外層部は、外周面に現れた上記本体ベース部を囲んでいる請求項１又は請求項２に記載の薄型筆記具。
【発明の詳細な説明】
【技術分野】
【０００１】
本発明は、薄型筆記具に関するものである。
【背景技術】
【０００２】
従来、本体の断面形状を幅方向に対し厚さ方向が薄い略扁平状に形成した薄型筆記具が知られているが（例えば、特許文献１参照）、このような薄型筆記具を製造する場合、その構造上種々の問題があった。例えば、図５（Ａ）に示すように、薄型筆記具３１の重量や強度をかせぐため本体３２の肉厚を増やそうとすると、製造時に樹脂の特性によりヒケやソリなどが生じる不具合があり、正しく成形できないことが多かった（例えば、図５（Ｂ））。そのような欠点が生じないよう本体３３の肉厚を全体的に薄く形成すると（例えば、図５（Ｃ））、充分な強度が得られないし、図５（Ｄ）に示すように、本体３３の内部に別体の補強部材３４を組み込むようにすると、部品点数が増加し、経済的に得ることができなかった。
【先行技術文献】
【特許文献】
【０００３】
【特許文献１】実開平６−６４９６７号公報（図１）
【発明の概要】
【発明が解決しようとする課題】
【０００４】
本発明が解決しようとする課題は、本体が薄い略扁平状に形成された薄型筆記具において、上記本体を肉厚に構成してもヒケやソリなどが発生せず、強度的に優れ、かつ、部品点数も少なく、経済的に得ることができる薄型筆記具を提供することである。
【課題を解決するための手段】
【０００５】
本発明によれば、幅方向に対し厚さ方向が薄く略扁平状に形成され長手方向に延びる本体を具備する薄型筆記具において、上記本体はその先端から後端に延びる本体ベース部と該本体ベース部の外周に２色成形又はインサート成形の要領により形成される外層部を有し、上記本体ベース部には上記本体の先端に開口して後方に延びリフィールが収納される収納部と上記本体の幅方向に突出し且つ長手方向に延びる突条部が形成され、上記外層部は該突状部の外側を被覆していることを特徴とする薄型筆記具が提供され、上記課題が解決される。
【発明の効果】
【０００６】
本発明は、上記のように構成され、幅方向に対し厚さ方向が薄く略扁平状に形成され長手方向に延びる本体を具備する薄型筆記具において、上記本体をその先端から後端に延びる本体ベース部と該本体ベース部の外周に２色成形又はインサート成形の要領により形成される外層部で構成し、上記本体ベース部に上記本体の先端に開口して後方に延びリフィールが収納される収納部と上記本体の幅方向に突出し且つ長手方向に延びる突条部を形成し、該突条部を上記外層部で被覆するようにしたので、上記本体の肉厚は上記突条部と外層部を合計した厚さとなり、本体自体を肉厚に形成しなくてもよいから、成形時にヒケやソリが生じるおそれがない。また、上記突条部を長手方向に沿って設けたことにより、上記本体の強度が高まって、筆記時に屈曲したり撓んだりするおそれがなく、別体の補強部材を組み込む必要もないので、部品点数が減少し、経済的に得ることができる。
【図面の簡単な説明】
【０００７】
【図１】本発明の一実施例を示す平面図である。
【図２】側面図である。
【図３】縦断面図及び厚さ方向の各部の断面図である。
【図４】リフィールを筆記位置に移動した状態を示す説明図である。
【図５】従来の薄型筆記具の本体を示し、（Ａ）は本体を肉厚に設けようとした場合の設計段階の断面図、（Ｂ）は（Ａ）の構成を製造した場合の断面図、（Ｃ）は全体を肉薄に設けた場合の断面図、（Ｄ）は肉薄の本体内に補強部材を組み込んだ状態の断面図である。
【発明を実施するための形態】
【０００８】
本発明は、シャープペンシルその他の各種筆記具に適用することができるが、図においては、ノック式のボールペンに適用した一実施例を示している。図１ないし図３を用いて説明すると、薄型筆記具１の本体２は、幅Ｗ方向に対し厚さＴ方向が薄く略扁平状に形成され長手方向に延び、その断面形状が略長円状となるように設けられている。該本体の断面形状は、略長円状のほか、略楕円状、略長方形状その他の適宜形状に形成することができる。該本体２は、その先端から後端に延びる本体ベース部３と、該本体ベース部３の外周に２色成形又はインサート成形の要領により形成される外層部４で構成されている。
【０００９】
上記本体ベース部３は、プラスチック材料で形成され、図３に示すように、先端に設けた開口部５から後方に延びボールペンリフィール６を収納する収納部７と、該収納部７から幅方向に突出し且つ長手方向に延びる突条部８を有する。該突条部８は、上記本体の全長にわたって設けることもできるが、図示のものでは、上記収納部７の開口部５付近から中間部のやや後方にわたって設けられ、その肉厚は、上記収納部７を形成する壁体９の肉厚とほぼ同じ程度の厚さに形成されている。また、上記本体ベース部３の中間部から後方の部分に上記突条部は設けられておらず、幅方向に広がり、後述するように、ノック部材１２を収納するためのノック収納部１１が形成されているが、このノック収納部１１は空所として設けられるため、肉厚に形成してもヒケやソリの問題は生じない。
【００１０】
上記外層部４は、上述したように、公知の２色成形又はインサート成形の要領により上記本体ベース部３の外周に設けられ、このとき該本体ベース部３の収納部７及び突条部８を含めた全周を覆うようにしてもよいが、少なくとも該突条部８を覆うように形成されている。その他種々の態様で上記外層部を設けることができ、例えば、図示するように、上記本体ベース部３の一部が視認できるよう窓部１０を上記外層部４に設けたり、上記収納部７の壁体９が外周面に現れるように本体ベース部３を突出させてその周囲を外層部４で囲むことによりほぼ同一面に形成したり、本体ベース部３を凹ませて外層部４で覆ったり、該外層部４と上記本体ベース部３を色や質感などが異なる樹脂や硬度の異なる樹脂、例えば上記外層部を軟質性のある樹脂で成形したりすれば、種々の変化に富んだものが得られる。
【００１１】
上記本体ベース部３の後方には、上述したように、上記収納部７に連通して後端に開口するノック収納部１１が設けられ、該ノック収納部１１には、上記ボールペンリフィール６を操作するノック部材１２が収納されている。該ノック部材１２の後端には、受孔１３が形成され、クリップ１４が挿入固定されている。
【００１２】
上記ボールペンリフィールの繰出機構は、種々の構成にすることができ、図に示す実施例では、上記ボールペンリフィール６の後端を上記ノック部材１２で保持し、該ノック部材１２と上記本体２の間にスプリング１５を介装してノック部材１２を後方に付勢してある。そして、該ノック部材１２の一側に形成した弾性片１６の端部に係止爪１７を設け、該係止爪１７を上記本体２の係止孔１８又は係止孔１９に係止することにより、上記ボールペンリフィール６を収納状態（図１ないし図３）又は筆記状態（図４）で保持できるようにしてある。なお、筆記状態において、上記ノック部材１２の先端に形成した略山形状の突出部２０が上記本体２の後端に形成した略山形状の凹部２１に嵌まり込むようにしてあり、これにより上記ボールペンリフィール６の後端を安定的に保持することができる。上記ノック部材や繰出機構、これらを収納する上記本体ベース部の内部構造は、筆記具の種類などに応じて、その他適宜の構成にすることができる。
【００１３】
上記の構成により、上記本体を肉厚に形成する構成であっても、該本体を本体ベース部と外層部で構成するようにしたので、ヒケやソリを生じるおそれがなく、筆記に際しても上記本体ベース部が突条部で補強されているため、剛性があり、撓んだりしないから、筆記しやすく壊れにくい。
【符号の説明】
【００１４】
１  薄型筆記具
２  本体
３  本体ベース部
４  外層部
７  収納部
８  突条部
９  壁体
１２  ノック部材
Ｗ  幅
Ｔ  厚さ
【図１】
2010201691.tif 000003
【図２】
2010201691.tif 000004
【図３】
2010201691.tif 000005
【図４】
2010201691.tif 000006
【図５】
2010201691.tif 000007